(57)【要約】【課題】屋根への重量負担を軽くして、フィールドを効率的に屋根の高さまで上昇させるためのフィールド管理装置及びスタジアムを提供する。【解決手段】スタジアム１０は、基礎部１４の上にフィールド可動部２０を配置したフィールドを備えている。このフィールド可動部２０は、天然芝が上面に密に植えられた土壌部２１と、この土壌部２１を保持するフィールド保持部２２とを備えている。フィールド可動部２０の周囲には、伸縮可能な架設用柱４０が配置されており、フィールド可動部２０を昇降するためのウインチ３０が配置されている。フィールドを使用しない場合には、架設用柱４０を伸長して、スタジアム１０の屋根１３に連結し、ウインチ３０を用いてフィールド保持部２２を屋根１３の高さまで上昇させて、屋根１３に連結する。【選択図】図１
2014105448.tif 000002
【特許請求の範囲】
【請求項１】
植物を植える土壌部を備えたフィールドと、このフィールドの周囲に配置された観客席と、この観客席の上方を覆う屋根とを備えたスタジアムに設置され、前記フィールドの管理を行なうためのフィールド管理装置において、
前記土壌部と、この土壌部を保持するフィールド保持部とを備えたフィールド可動部と、
前記フィールド可動部を、前記フィールドの上方が開放された前記屋根の高さまで上昇させる昇降部と、
前記屋根の高さまで上昇させた状態で、前記フィールド可動部の重量を支持する伸縮可能な複数の架設用柱とを備えたことを特徴とするフィールド管理装置。
【請求項２】
前記架設用柱には、前記フィールド可動部の昇降をガイドするためのガイド部材が更に設けられていることを特徴とする請求項１に記載のフィールド管理装置。
【請求項３】
前記フィールド保持部の着地時に、前記架設用柱を収納する収納部を更に備え、
前記収納部の上端を、前記着地時のフィールドの上面以下の位置に設けたことを特徴とする請求項１又は２に記載のフィールド管理装置。
【請求項４】
前記架設用柱を前記屋根に連結する柱連結部材を更に備えていることを特徴とする請求項１〜３のいずれか１項に記載のフィールド管理装置。
【請求項５】
前記架設用柱は、前記屋根に連結された収納部に収納されており、
前記架設用柱を前記フィールドの基礎部に連結する柱連結部材を更に備えていることを特徴とする請求項１又は２に記載のフィールド管理装置。
【請求項６】
前記フィールド可動部を前記屋根に連結するフィールド連結部材を更に備えていることを特徴とする請求項１〜５のいずれか１項に記載のフィールド管理装置。
【請求項７】
植物を植える土壌部を備えたフィールドと、このフィールドの周囲に配置された観客席と、この観客席の上方を覆う屋根とを備えたスタジアムにおいて、
前記土壌部と、この土壌部を保持するフィールド保持部とを備えたフィールド可動部と、
前記フィールド可動部を、前記フィールドの上方が開放された前記屋根の高さまで上昇させる昇降部と、
前記屋根の高さまで上昇させた状態で、前記フィールド可動部の重量を支持する伸縮可能な複数の架設用柱とを備えたことを特徴とするスタジアム。
【発明の詳細な説明】
【技術分野】
【０００１】
本発明は、天然芝等の植物を植える土壌部を備えたフィールドの管理を行なうためのフィールド管理装置及びこれを備えたスタジアムに関する。
【背景技術】
【０００２】
サッカー、ラグビーや陸上競技等を行なうフィールドと、これら競技等を観覧する観客席とを備えたスタジアムにおいて、周辺への観客騒音に対する配慮や天候に左右されない開催を目的に、屋根付きスタジアムが建設されている。この場合、観客席の上部は雨を防ぐために屋根で覆われている。
【０００３】
一方、フィールドに天然芝等を植えたスタジアムもある。この天然芝の育成のためには、長時間の日照が必要である。しかしながら、屋根があると、フィールド面への日射量が減る。このため、天然芝のフィールドを備えた屋根付きスタジアムでは、開閉方式の屋根を採用していることが多い。
【０００４】
そこで、フィールドを天然芝養生のためにスタジアムの外に出し日照を確保するスタジアムが検討されている（例えば、特許文献１参照。）。この文献に記載された技術においては、屋根付スタジアム内の競技用フィールドを、スタジアム内において競技が行なわれない場合には屋外に搬送し、屋外において天然芝を育成する。この場合、スタジアムの近くに、天然芝を育成するための広い敷地が必要になる。
【０００５】
そこで、天然芝養生のために、スタジアムのフィールドを固定屋根の高さまで上昇させて、屋外において天然芝を育成する技術も検討されている（例えば、特許文献２参照。）。この文献に記載された技術においては、フィールドを固定屋根の高さまで上昇させてフィールドに植えた天然芝を育成し、フィールドを使用する場合には、固定屋根からフィールドを地上に降下させる。
【先行技術文献】
【特許文献】
【０００６】
【特許文献１】特開平０４−３２７８６８号公報
【特許文献２】特開平０７−４８９４１号公報
【発明の概要】
【発明が解決しようとする課題】
【０００７】
特許文献２に記載された技術においては、フィールドの天然芝を育成する場合には、固定屋根の高さまで上昇させたフィールドを固定屋根に連結する。このため、天然芝の育成時には、固定屋根によってフィールド重量を支持することになる。この場合、スタジアム等の屋根の重量負担が大きくなる。特に、スタジアム等の大空間を形成する建造物の屋根は、片持ち梁形式により支持されるため、片持ち梁の端部に重量が加わる。この重量を支持するために、屋根部材を太くし、スタンド高さを高くする必要が生じ、コストアップに繋がる。
【０００８】
また、フィールドの昇降に伴う横揺れが生じた場合、他部に接触する可能性があり、水平力を制御する手段がない。しかしながら、特許文献２に記載の技術では、この課題に対応することは難しかった。
本発明は、上述の課題に鑑みてなされ、その目的は、屋根への重量負担を軽くして、フィールドを効率的に屋根の高さまで上昇させるためのフィールド管理装置及びスタジアムを提供することにある。
【課題を解決するための手段】
【０００９】
上記課題を解決するフィールド管理装置は、植物を植える土壌部を備えたフィールドと、このフィールドの周囲に配置された観客席と、この観客席の上方を覆う屋根とを備えたスタジアムに設置され、前記フィールドの管理を行なうためのフィールド管理装置において、前記土壌部と、この土壌部を保持するフィールド保持部とを備えたフィールド可動部と、前記フィールド可動部を、前記フィールドの上方が開放された前記屋根の高さまで上昇させる昇降部と、前記屋根の高さまで上昇させた状態で、前記フィールド可動部の重量を支持する伸縮可能な複数の架設用柱とを備えたこと要旨とする。
【００１０】
この構成によれば、フィールド可動部を屋根の高さまで上昇させて、フィールドの土壌部に植えた植物（天然芝等）に日光を十分に当てることができるとともに、通風を確保することができるので、フィールドに植えた植物を効率よく生育することができる。また、フィールド可動部の重量を、屋根だけではなく架設用柱によっても支持することができるので、屋根にかかる重量増加を抑制することができる。更に、フィールド可動部が屋根に位置する状態で、スタンドの中央においてイベントを開催することもできる。また、フィールドを使用する場合には、架設用柱を縮小させて収納されているので、フィールドで行なうイベントの開催中は、架設用柱が邪魔ならずに、フィールド内のイベント（例えば競技）を観覧することができる。
【００１１】
上記フィールド管理装置について、前記架設用柱には、前記フィールド可動部の昇降をガイドするためのガイド部材が更に設けられていることが好ましい。この構成によれば、昇降する際には、フィールド可動部の昇降が架設用柱によってガイドされるので、フィールド可動部の昇降時の横揺れを抑えることができる。
【００１２】
上記フィールド管理装置について、前記フィールド保持部の着地時に、前記架設用柱を収納する収納部を更に備え、前記収納部の上端を、前記着地時のフィールドの上面以下の位置に設けたことが好ましい。この構成によれば、架設用柱を屋根に設置しないため、架設用柱の重量を屋根が支持する必要がない。
【００１３】
上記フィールド管理装置について、前記架設用柱を前記屋根に連結する柱連結部材を更に備えていることが好ましい。この構成によれば、架設用柱を屋根と連結することにより、架設用柱を強固に支持することができるので、フィールド可動部の昇降時やフィールド可動部が屋根に位置した場合には、地震の揺れや昇降時の横揺れを抑えることができる。
【００１４】
上記フィールド管理装置について、前記架設用柱は、前記屋根に連結された収納部に収納されており、前記架設用柱を前記フィールドの基礎部に連結する柱連結部材を更に備えていることが好ましい。この構成によれば、架設用柱をフィールドの基礎部と連結することにより、架設用柱を強固に支持することができるので、フィールド可動部の昇降時やフィールド可動部が屋根に位置した場合には、地震の揺れや昇降時の横揺れを更に抑えることができる。
【００１５】
上記フィールド管理装置について、前記フィールド可動部を前記屋根に連結するフィールド連結部材を更に備えていることが好ましい。この構成によれば、屋根の高さまで上昇させてフィールド可動部を屋根と連結することにより、屋根の高さまで上昇させたフィールド可動部を更に強固に支持し、フィールド可動部の揺れを抑えることができる。
【００１６】
上記課題を解決するスタジアムは、植物を植える土壌部を備えたフィールドと、このフィールドの周囲に配置された観客席と、この観客席の上方を覆う屋根とを備えたスタジアムにおいて、前記土壌部と、この土壌部を保持するフィールド保持部とを備えたフィールド可動部と、前記フィールド可動部を、前記フィールドの上方が開放された前記屋根の高さまで上昇させる昇降部と、前記屋根の高さまで上昇させた状態で、前記フィールド可動部の重量を支持する伸縮可能な複数の架設用柱とを備えたことを要旨とする。
【００１７】
この構成によれば、フィールド可動部を屋根の高さまで上昇させて、フィールドの土壌部に植えた植物（天然芝等）に日光を十分に当てることができるとともに、通風を確保することができるので、フィールドに植えた植物を効率よく生育することができる。また、フィールド可動部の重量を、屋根だけではなく架設用柱によっても支持することができるので、屋根にかかる重量増加を抑制することができる。更に、フィールド可動部が屋根に位置する状態で、スタンドの中央においてイベントを開催することもできる。また、フィールドを使用する場合には、架設用柱を縮小させて収納されているので、フィールドで行なうイベントの開催中は、架設用柱が邪魔ならずに、フィールド内のイベント（例えば競技）を観覧することができる。
【発明の効果】
【００１８】
本発明によれば、屋根への負担を軽くして、フィールドを効率的に屋根の高さまで上昇させることができる。
【図面の簡単な説明】
【００１９】
【図１】第１実施形態のスタジアムの構成の説明図であって、（ａ）は概略正面断面図、（ｂ）は屋根を除いた平面図。
【図２】フィールド可動部及び架設用柱と屋根との連結を説明する要部断面図。
【図３】第１実施形態においてフィールド可動部を上昇させる場合の説明図であり、（ａ）は上昇させる前の状態、（ｂ）は架設用柱を伸長した状態を示す。
【図４】第１実施形態においてフィールドを上昇させる場合の説明図であり、（ａ）はウインチのロープがフィールド可動部に固定された状態、（ｂ）は上昇中の状態、（ｃ）はフィールド可動部を屋根の高さ近傍まで上昇させた状態を示す。
【図５】第２実施形態におけるスタジアムの構成の説明図であって、（ａ）はフィールド可動部を上昇させる前の状態、（ｂ）はフィールド可動部を屋根の高さまで上昇させている途中の状態を示す。
【図６】第３実施形態のスタジアムの構成の概略正面断面図。
【発明を実施するための形態】
【００２０】
（第１の実施形態）
以下、図１〜図４に従って、本発明を具体化した第１の実施形態を説明する。
図１に示すように、本実施形態のスタジアム１０は、フィールド管理装置１５と、フィールドの周囲を囲む環状のスタンド１１と、スタンド１１の上方を覆う屋根１３とを備えている。フィールド管理装置１５は、後述するフィールド可動部２０、ウインチ３０及び架設用柱４０を備える。
【００２１】
スタンド１１は、階段式の観客席であって、フィールド側から外側になるにつれて高くなるように構成されている。スタンド１１の外周上部には複数の屋根柱１２が配置されており、この屋根柱１２によって屋根１３が支持されている。この屋根１３は、例えばトラス構造によって構成されており、スタンド１１の上方を覆うとともにフィールドの上方を開放する形状をした固定屋根である。
【００２２】
フィールドは、サッカー等の競技やイベントを行なう長方形形状の領域である。本実施形態では、この領域に、基礎部１４が埋設されており、この基礎部１４の上にフィールド可動部２０が配置されている。このフィールド可動部２０は、後述するように昇降可能になっており、土壌部２１と、この土壌部２１を保持するフィールド保持部２２とを備えている。土壌部２１には、表面に土壌が敷き詰められ、この土壌の上面には天然芝が育生される。なお、フィールド保持部２２には、土壌部２１の土壌が流出しないためのシートや給排水管（図示せず）等が設けられている。
【００２３】
更に、図２に示すように、フィールド保持部２２の各端部（四角付近）の側面には、それぞれ横孔２２ａが設けられている。各横孔２２ａは、後述する連結固定装置５０のロックピン５２が挿入されて嵌合できる大きさで形成されている。
更に、このフィールド保持部２２には、各架設用柱４０に対向して、架設用柱４０側に突出する各ガイド部材（図示せず）が設けられている。
【００２４】
更に、図１（ｂ）に示すように、フィールド可動部２０の四角付近には、伸縮可能な各架設用柱４０が配置されている。この架設用柱４０は、複数段階の中空柱に分割されており、柱の上層部がその下層部よりも、大きな径で構成される。そして、この架設用柱４０は、縮小時には、上層部が下層部の中空に、入れ子状に重なって収納部４５に収納される。また、図１（ａ）に示すように、伸長時には、伸縮駆動部により、上方に突出するように伸ばす。不使用時には、この架設用柱４０は、伸縮駆動部により縮小されて、地中に埋設された収納部４５に収納される。この収納部４５の上面は、フィールド可動部２０が降下して基礎部１４上に着地したときの土壌部２１の上面の位置よりも低くなる位置に設けられている。
【００２５】
更に、図２に示すように、各架設用柱４０の最上部材４１の上面には、係合孔４１ａが設けられている。この係合孔４１ａは、後述する連結固定装置５０のロックピン５１が挿入されて嵌合できる大きさで形成されている。
【００２６】
更に、各架設用柱４０には、フィールド保持部２２の昇降をガイドする一列のガイド溝が形成されている。具体的には、このガイド溝は、フィールド保持部２２のガイド部材に摺動可能に嵌合する。
【００２７】
また、図１（ａ）に示すように、屋根１３には、昇降部として機能するウインチ３０が設置されている。本実施形態では、各ウインチ３０は、各架設用柱４０の上方に配置されている。各ウインチ３０は、ロープ及びロープを巻き取るためのモータ等を備えている。
【００２８】
更に、図２に示すように、屋根１３には、柱連結部材及びフィールド連結部材としての連結固定装置５０が配置されている。本実施形態では、この連結固定装置５０は、前述したウインチ３０が設置された位置よりも下方に設置されている。この連結固定装置５０は、下方に突出して架設用柱４０を固定するロックピン５１と、水平方向に突出してフィールド保持部２２を固定するロックピン５２と、各ロックピン（５１，５２）の突出や引込みを駆動する駆動部とを備えている。連結固定装置５０は、フィールド可動部２０を屋根１３の高さまで上昇させた場合に、フィールド保持部２２の横孔２２ａにロックピン５１を挿入してフィールド保持部２２を固定支持する。更に、連結固定装置５０は、屋根１３の高さまで伸長している架設用柱４０の最上部材４１の係合孔４１ａに、ロックピン５２を挿入して架設用柱４０を固定支持する。
【００２９】
次に、図３及び図４を参照して、上述したフィールド管理装置１５の動作について説明する。
図３（ａ）に示すように、土壌部２１を用いて行なうイベント開催時には、架設用柱４０は、収納部４５に収納される。
【００３０】
そして、図３（ｂ）に示すように、フィールド可動部２０に植えている天然芝の全面に日光を照射する場合には、まず、架設用柱４０の伸縮駆動部を駆動して、架設用柱４０を収納部４５から上方に伸長させる。この場合、図２に示すように、連結固定装置５０のロックピン５１と、架設用柱４０の係合孔４１ａとが整合するように、フィールド可動部２０を上昇させる。
【００３１】
そして、図３の連結固定装置５０の駆動部を駆動して、ロックピン５１を下方に突出させて、架設用柱４０の最上部材４１の係合孔４１ａに挿入する。これにより、連結固定装置５０のロックピン５１を介して、架設用柱４０と屋根１３とを連結固定する。
【００３２】
次に、図４（ａ）に示すように、各ウインチ３０のモータを回転駆動して、各ウインチ３０からロープを垂らす。そして、ロープの先端部をフィールド保持部２２に掛止する。
次に、図４（ｂ）に示すように、各ウインチ３０のモータを回転駆動して、ロープを巻き取ることにより、ロープの先端部を引き上げる。これにより、フィールド可動部２０が上昇する。フィールド可動部２０の重量は、主に架設用柱４０によって支持されており、フィールド保持部２２のガイド部材は、架設用柱４０のガイド溝にガイドされるので、フィールド可動部２０の水平方向の揺れ（横揺れ）は、架設用柱４０のガイドによって規制される。
【００３３】
そして、図４（ｃ）に示すように、フィールド可動部２０を屋根１３の高さまで上昇させる。具体的には、フィールド保持部２２の横孔２２ａと、連結固定装置５０のロックピン５２とが対向する位置まで、フィールド可動部２０を上昇させる。
【００３４】
次に、図２の連結固定装置５０の駆動部を駆動する。これにより、ロックピン５２が水平方向に突出して、フィールド保持部２２の横孔２２ａに挿入する。更に、連結固定装置５０のロックピン５２を介して、フィールド可動部２０と屋根１３とが連結固定する。この場合、フィールド可動部２０の重量は、架設用柱４０によって支持されて、フィールド可動部２０の水平方向の揺れは、屋根によって規制される。
【００３５】
一方、屋根１３の高さにあるフィールド可動部２０を降下させる場合には、連結固定装置５０の駆動部を駆動して、ロックピン５２を引き込み、フィールド可動部２０と屋根１３との係合を解く。そして、各ウインチ３０のモータを回転駆動して、フィールド可動部２０を降下させる。この場合にも、フィールド可動部２０は、そのガイド部材が架設用柱４０のガイド溝によってガイドされて降下する。そして、フィールド可動部２０が着地した場合には、各ウインチ３０のロープの先端をフィールド可動部２０から取り外し、ロープを巻き上げる。次に、連結固定装置５０の駆動部を駆動して、ロックピン５１を引き込み、架設用柱４０と屋根１３との係合を解く。そして、伸縮駆動部を駆動して、架設用柱４０を縮小させて、収納部４５に収納する。以上により、図３（ａ）に示す状態に戻る。
【００３６】
本実施形態によれば、以下のような効果を得ることができる。
（１）本実施形態のスタジアム１０は、基礎部１４の上のフィールド可動部２０、ウインチ３０及び架設用柱４０を備えたフィールド管理装置１５を有している。フィールド可動部２０は、天然芝が上面に育生されている土壌部２１と、この土壌部２１を保持するフィールド保持部２２とを備えている。フィールド可動部２０の周囲には、伸縮可能な架設用柱４０が配置されており、フィールド可動部２０を昇降するためのウインチ３０が配置されている。フィールドを使用しない場合には、架設用柱４０を伸長して、スタジアム１０の屋根１３に連結し、ウインチ３０を用いてフィールド保持部２２を屋根１３の高さまで上昇させて、屋根１３に連結する。これにより、フィールド可動部２０の土壌部２１に植えられた天然芝を効率よく育成することができる。また、フィールド保持部２２の重量を、架設用柱４０によって支持するので、屋根１３にかかる重量増加を抑制することができる。更に、フィールド保持部２２を屋根１３の位置まで上昇させた状態であっても、基礎部１４において、イベントを開催することができる。また、土壌部２１を降下させる場合には、フィールド保持部２２を基礎部１４に着地させるとともに、架設用柱４０を縮小して収納部４５に収納する。これにより、土壌部２１を使用するイベントの開催中は、架設用柱４０が邪魔ならずに、フィールド内のイベントを観覧することができる。
【００３７】
（２）本実施形態のフィールド管理装置１５においては、伸縮可能な架設用柱４０を収納する収納部４５を埋設している。これにより、収納時の架設用柱４０の重量を屋根１３が支持する必要がない。
【００３８】
（３）本実施形態のフィールド管理装置１５においては、フィールド保持部２２と屋根１３とを連結する。これにより、フィールド可動部２０を屋根１３に強固に支持することができ、フィールド可動部２０の横揺れを抑えることができる。
【００３９】
（４）本実施形態のフィールド管理装置１５においては、架設用柱４０と屋根１３とを連結する連結固定装置５０を屋根１３に配置する。これにより、架設用柱４０がフィールド可動部２０を更に強固に支持することができる。従って、フィールド可動部２０の昇降時やフィールド可動部２０が屋根１３に位置した場合には、地震等の外力による揺れを、抑制することができる。
【００４０】
（５）本実施形態のフィールド保持部２２には、ガイド部材を設け、架設用柱４０には、フィールド保持部２２のガイド部材に摺動可能に嵌合するガイド溝をも設ける。これにより、フィールド保持部２２の昇降時に、フィールド保持部２２が架設用柱４０によってガイドされるので、横揺れを抑制することができる。
【００４１】
（第２の実施形態）
次に、図５に従って、本発明を具体化した第２の実施形態を説明する。本実施形態においては、上記第１実施形態の架設用柱４０の収納部４５を屋根１３に設置するように変更した構成であり、同様の部分については同一の符号を付し、その詳細な説明は省略する。
【００４２】
図５に示すように、本実施形態のスタジアム６０は、フィールド管理装置６５と、フィールドの周囲を囲む環状のスタンド１１と、スタンド１１の上方を覆う屋根１３とを備えている。フィールド管理装置６５は、後述するフィールド可動部２０、ウインチ３０及び架設用柱７０を備える。
【００４３】
更に、本実施形態の屋根１３には、架設用柱７０を収納する収納部７５が取り付けられている。この架設用柱７０は、架設用柱４０と同様に、複数段階の中空柱に分割されており、柱の上層部がその下層部よりも、大きな径で構成される。そして、この架設用柱７０は、縮小時には、上層部が下層部の中空に、入れ子状に重なって収納部７５に収納される。また、伸長時には、伸縮駆動部により、下方に突出するように伸ばす。不使用時には、この架設用柱７０は、伸縮駆動部により縮小されて、屋根１３の収納部７５に収納される。
【００４４】
更に、各架設用柱７０には、架設用柱４０と同様に、フィールド保持部２２のガイド部材に摺動可能に嵌合して、このガイド部材の昇降をガイドするガイド溝が形成されている。
【００４５】
また、図５（ｂ）に示すように、本実施形態におけるフィールド領域の基礎部１４の端部には、柱連結部材としての嵌合部１４ａが形成されている。この嵌合部１４ａは、各架設用柱７０の最下部材７１が嵌合することにより、架設用柱７０を、地面の基礎部１４に固定する。
【００４６】
更に、フィールド可動部２０と屋根１３とを連結するための連結固定装置が屋根１３に配置されている。本実施形態の連結固定装置は、第１の実施形態と異なり、架設用柱７０の側部に配置されている。この連結固定装置は、水平方向に突出可能なロックピンと、このロックピンの突出や引込みを駆動する駆動部とを備えている。連結固定装置は、上記実施形態と同様に、フィールド可動部２０を屋根１３の高さまで上昇させた場合に、フィールド保持部２２の横孔２２ａに挿入してフィールド保持部２２を固定支持する。
【００４７】
次に、図５を用いて、本実施形態のフィールド管理装置６５の動作について説明する。
図５（ａ）に示すように、土壌部２１を用いて行なうイベント開催時には、架設用柱７０は、収納部７５に収納される。
【００４８】
そして、フィールド可動部２０に植えている天然芝の全面に日光を照射する場合には、まず、架設用柱７０の伸縮駆動部を駆動して、架設用柱７０を収納部７５から下方に伸長させる。そして、図５（ｂ）に示すように、架設用柱７０の最下部材７１を基礎部１４の嵌合部１４ａに嵌合させて、架設用柱７０を固定する。
【００４９】
次に、上記実施形態と同様に、各ウインチ３０のモータを回転駆動して、各ウインチ３０からロープを垂らして、ロープの先端部をフィールド保持部２２に掛止する。そして、各ウインチ３０のモータを回転駆動して、ロープを巻き取ることにより、ロープの先端部を引き上げる。これにより、フィールド保持部２２のガイド部材が架設用柱７０のガイド溝にガイドされながら、フィールド可動部２０が上昇する。
【００５０】
そして、フィールド可動部２０を屋根１３の高さまで上昇させると、連結固定装置５０のロックピン５２をフィールド保持部２２の横孔２２ａに挿入することにより、フィールド可動部２０と屋根１３とを連結固定する。
【００５１】
なお、フィールド可動部２０を降下させる場合には、連結固定装置のロックピンを引き込み、フィールド可動部２０と屋根１３との係合を解く。そして、各ウインチ３０のモータを回転駆動して、ロープを介して、フィールド保持部２２を降下させる。フィールド可動部２０が着地した場合には、ロープをフィールド可動部２０から取り外し巻き上げる。そして、伸縮駆動部を駆動して、架設用柱７０を縮小させて収納部７５に収納する。以上により、図４（ａ）に示す状態に戻る。
【００５２】
本実施形態によれば、上記（１）、（３）〜（５）と同様な効果に加えて、以下の効果を得ることができる。
（６）本実施形態のフィールド管理装置６５においては、伸縮可能な架設用柱７０を収納する収納部７５を屋根１３に設ける。これにより、架設用柱７０を収納する収納部７５を埋設する必要がなく、効率よく架設用柱７０を配置することができる。
【００５３】
（７）本実施形態のフィールド管理装置６５においては、フィールドの基礎部１４の端部に、架設用柱７０の最下部材７１と嵌合する嵌合部１４ａを設ける。これにより、架設用柱７０が降下して嵌合部１４ａに嵌合することにより、簡単な構成で、架設用柱４０を更に強固に支持することができる。
【００５４】
（第３の実施形態）
次に、図６に従って、本発明を具体化した第３の実施形態を説明する。本実施形態においては、上記第１実施形態のウインチ３０の代わりに、昇降部としてジャッキ９０を用いるように変更した構成であり、同様の部分については同一の符号を付し、その詳細な説明は省略する。
【００５５】
図６に示すように、本実施形態のスタジアム８０は、フィールド管理装置８５と、フィールドの周囲を囲む環状のスタンド１１と、スタンド１１の上方を覆う屋根１３とを備えている。フィールド管理装置８５は、後述するフィールド可動部２０、昇降部としてのジャッキ９０及び架設用柱４０を備える。
【００５６】
本実施形態においては、フィールド可動部２０から水平に突出した昇降用突出部を設ける。また、各架設用柱４０の収納部４５の近傍において、フィールド保持部２２の昇降用突出部に対向する位置にジャッキ９０を設ける。各ジャッキ９０は、例えば、複動油圧ジャッキを用いることが可能であり、油圧によりラム（ピストン）を昇降させる。更に、このラムは、フィールド可動部２０の昇降用突出部と連結固定されており、本実施形態では、第１実施形態と異なり、フィールド可動部２０にはガイド部材がなく、架設用柱４０にはガイド溝が設けられていない。
【００５７】
次に、図６を用いてフィールド管理装置の作用について説明する。
図６に示すように、土壌部２１を用いて行なうイベント開催時には、架設用柱４０は、収納部４５に収納されている。
【００５８】
そして、フィールド可動部２０に植えている天然芝の全面に日光を照射する場合には、上記第１実施形態と同様に、まず、架設用柱７０を収納部７５から上方に伸長させ、連結固定装置５０のロックピン５１を突出させて、架設用柱４０の係合孔４１ａに連結固定する。
【００５９】
次に、各ジャッキ９０の駆動源を駆動して、各ジャッキ９０のラムを昇降させる。これにより、ラムに連結しているフィールド可動部２０がガイドされながら屋根１３の高さまで上昇する。そして、フィールド可動部２０が屋根１３の高さまで上昇した場合には、ロックピン５２を水平方向に突出し、フィールド保持部２２の横孔２２ａに挿入する。
【００６０】
なお、フィールド可動部２０を降下させる場合には、連結固定装置のロックピンを引き込み、フィールド可動部２０と屋根１３との係合を解く。そして、ジャッキ９０を動作させて、フィールド保持部２２を降下させる。更に、伸縮駆動部を駆動して、架設用柱７０を縮小させて収納部７５に収納する。
【００６１】
本実施形態によれば、上記（１）〜（４）と同様な効果に加えて、以下の効果を得ることができる。
（８）本実施形態においては、各架設用柱４０の収納部４５の近傍に、フィールド可動部２０を昇降するためのジャッキ９０を設置する。これにより、屋根１３にウインチ３０を設ける必要がないので、屋根１３にかかる重量増加を抑制することができる。
【００６２】
（９）本実施形態においては、ジャッキ９０のラムと、フィールド可動部２０の昇降用突出部とを連結して、一体固定する。これにより、ラムによって固定された状態で、フィールド可動部２０は昇降するので、水平方向の揺れを規制することができる。従って、フィールド可動部２０におけるガイド部材や、架設用柱４０におけるガイド溝を設けることなく、構成を簡単にすることができる。
【００６３】
また、上記実施形態は、以下のように変更してもよい。
・  上記実施形態においては、フィールド領域に、それぞれ架設用柱（４０，７０）を配置した。架設用柱（４０，７０）の数や配置位置は、これに限定されるものではない。ただし、フィールド可動部２０が屋根１３に連結された状態でイベントを開催する場合には、架設用柱が邪魔になるため、架設用柱の数は少ない方がよい。
【００６４】
・  上記各実施形態においては、フィールド可動部２０と屋根１３とを連結するために、ロックピン５１の突出や引込みを制御する構成の連結固定装置５０を用いた。架設用柱７０と屋根１３とを連結するために、上記第１実施形態においては、ロックピン５２を突出や引込みを制御する構成の連結固定装置５０を用い、第２実施形態においては、架設用柱７０の下部を基礎部１４の嵌合部１４ａに嵌合させた。フィールド可動部２０と屋根１３とを連結するフィールド連結部材や、架設用柱（４０，７０）と屋根１３とを連結する柱連結部材の構成は、これらに限定されるものではない。例えば、フィールド可動部２０を屋根１３の高さまで上昇させたときに、フィールド可動部２０と屋根１３との接触部を同時に下方から支持するフィールド連結部材を用いることも可能である。また、架設用柱７０の先端を着地させた場合に、架設用柱７０と基礎部１４とを外部から一体固定させる柱連結部材を用いることも可能である。
【００６５】
・  上記実施形態においては、フィールド可動部２０の土壌部２１の上面に天然芝を植えた。フィールド可動部２０の土壌部２１の上面に植えられる植物は、天然芝に限らず、その他、地面を覆うための植物（いわゆるグランドカバー）等に適用することもできる。
【符号の説明】
【００６６】
１０，６０，８０…スタジアム、１１…スタンド、１２…屋根柱、１３…屋根、１４…基礎部、１４ａ…嵌合部、１５，６５，８５…フィールド管理装置、２０…フィールド可動部、２１…土壌部、２２…フィールド保持部，２２ａ…横孔、３０…ウインチ、４０，７０…架設用柱、４１…最上部材、４１ａ…係合孔、４５，７５…収納部、５０…連結固定装置、５１，５２…ロックピン、７１…最下部材、９０…ジャッキ。
【図１】
2014105448.tif 000003
【図２】
2014105448.tif 000004
【図３】
2014105448.tif 000005
【図４】
2014105448.tif 000006
【図５】
2014105448.tif 000007
【図６】
2014105448.tif 000008